(57)【要約】 【課題】  別の発電装置が接続された場合であっても正確な表示を行うことができる表示コントローラ、および、蓄電システムを提供する。【解決手段】  実施形態によれば、表示コントローラは、第１の発電装置を含む蓄電システムの運転状況を表示装置に表示する。表示コントローラは、判断部と表示切替部とを有する。判断部は、前記第１の発電装置が発電した電力と前記蓄電システムが接続される系統における主幹電力とに基づいて、前記蓄電システムとは別の第２の発電装置が前記系統に接続されているか否かを判断する。表示切替部は、前記判断部により前記第２の発電装置が接続されていると判断された場合、前記表示装置に表示する表示画面における表示内容を切り替える。【選択図】図１
2017175756.tif 000002
【特許請求の範囲】
【請求項１】
第１の発電装置を含む蓄電システムの運転状況を表示装置に表示する表示コントローラにおいて、
前記第１の発電装置が発電した電力と前記蓄電システムが接続される系統における主幹電力とに基づいて、前記蓄電システムとは別の第２の発電装置が前記系統に接続されているか否かを判断する判断部と、
前記判断部により前記第２の発電装置が接続されていると判断された場合、前記表示装置に表示する表示画面における表示内容を切り替える表示切替部と、
を有する表示コントローラ。
【請求項２】
前記判断部は、前記第１の発電装置の発電電力が零のときに前記系統への売電電力があることが特定された場合、前記第２の発電装置が接続されていると判断する、
請求項１に記載の表示コントローラ。
【請求項３】
前記判断部は、前記第１の発電装置の発電電力が前記主幹電力から特定される系統への売電電力よりも小さい場合、前記第２の発電装置が接続されていると判断する、
請求項１又は２の何れかに記載の表示コントローラ。
【請求項４】
前記判断部は、前記主幹電力と前記蓄電システムの出力電力とから算出される消費電力がマイナスの値となった場合、前記第２の発電装置が接続されていると判断する、
請求項１乃至３の何れか１項に記載の表示コントローラ。
【請求項５】
前記表示切替部は、前記判断部により前記第２の発電装置が接続されていると判断された場合、前記表示装置に表示する表示画面における消費電力の表示を前記主幹電力から特定される売電電力、又は買電電力の少なくとも何れか一方の表示に切替える、
請求項１乃至４の何れか１項に記載の表示コントローラ。
【請求項６】
前記表示切替部は、前記判断部により前記第２の発電装置が接続されていると判断された場合、前記表示装置に表示する表示画面における消費電力を非表示に切替える、
請求項１乃至４の何れか１項に記載の表示コントローラ。
【請求項７】
前記表示切替部は、前記判断部により前記第２の発電装置が接続されていると判断された場合、前記表示装置に表示する表示画面における消費電力の表示スケールをマイナス分まで拡張し、算出されるマイナス値の消費電力を表示する表示内容に切り替える、
請求項４に記載の表示コントローラ。
【請求項８】
前記表示切替部は、前記判断部により前記第２の発電装置が接続されていると判断された場合、前記表示装置に表示する表示画面における自給率の表示態様を切り替える、
請求項１乃至４の何れか１項に記載の表示コントローラ。
【請求項９】
前記表示切替部は、消費電力のうち第１の発電装置によって供給される割合を自給率として表示するときに自給率が１００％を超えていれば、前記表示装置に表示する表示画面における自給率の表示を点滅表示に切り替える、
請求項１乃至４の何れか１項に記載の表示コントローラ。
【請求項１０】
パワーコンディショナ、表示コントローラ、第１の発電装置および蓄電池を有する蓄電システムにおいて、
前記第１の発電装置が発電した電力と当該蓄電システムが接続される系統における主幹電力とに基づいて、当該蓄電システムとは別の第２の発電装置が前記系統に接続されているか否かを判断する判断部と、
前記判断部により前記第２の発電装置が接続されていると判断された場合、前記表示コントローラが表示装置に表示する表示画面における表示内容を切り替える表示切替部と、
を有する蓄電システム。
【発明の詳細な説明】
【技術分野】
【０００１】
本発明の実施形態は、表示コントローラ、および、蓄電システムに関する。
【背景技術】
【０００２】
近年、太陽電池と蓄電池とが接続されたパワーコンディショナ（ＰＣＳ）を備えた蓄電システムがある。蓄電システムは、電力会社の系統に接続され、太陽電池が発電した電気又は系統から供給される電気を蓄電池に蓄積し、必要に応じて蓄電池から電気を負荷へ供給する。また、蓄電システムは、運転状況を利用者に報知するための表示コントローラを有する。しかしながら、蓄電システムが接続される系統には、さらに、別の発電装置が接続されることがありうる。別の発電装置が接続された場合、他の発電装置が発電する電力を蓄電システムが正確に取得できない構成であれば、表示コントローラは、正確な表示が難しくなることがある。
【先行技術文献】
【特許文献】
【０００３】
【特許文献１】特開２０１４−２１６１６号公報
【発明の概要】
【発明が解決しようとする課題】
【０００４】
本発明は、別の発電装置が接続された場合であっても正確な表示を行うことができる表示コントローラ、および、蓄電システムを提供することを目的とする。
【課題を解決するための手段】
【０００５】
実施形態によれば、表示コントローラは、第１の発電装置を含む蓄電システムの運転状況を表示装置に表示する。表示コントローラは、判断部と表示切替部とを有する。判断部は、前記第１の発電装置が発電した電力と前記蓄電システムが接続される系統における主幹電力とに基づいて、前記蓄電システムとは別の第２の発電装置が前記系統に接続されているか否かを判断する。表示切替部は、前記判断部により前記第２の発電装置が接続されていると判断された場合、前記表示装置に表示する表示画面における表示内容を切り替える。
【発明の効果】
【０００６】
本発明によれば、別の発電装置が接続された場合であっても正確な表示を行うことができる表示コントローラ、および、蓄電システムを提供できる。
【図面の簡単な説明】
【０００７】
【図１】図１は、実施形態に係る蓄電システムの構成例を示す図である。
【図２】図２は、実施形態に係る表示コントローラの制御系の構成例を示すブロック図である。
【図３】図３は、実施形態に係る表示コントローラが表示する運転状況を示す表示画面の第１の表示例を示す図である。
【図４】図４は、実施形態に係る表示コントローラが表示する運転状況を示す表示画面の第２の表示例を示す図である。
【図５】図５は、実施形態に係る表示コントローラが表示する運転状況を示す表示画面の第３の表示例を示す図である。
【図６】図６は、実施形態に係る表示コントローラが表示する運転状況を示す表示画面の第４の表示例を示す図である。
【図７】図７は、実施形態に係る表示コントローラが表示する運転状況を示す表示画面の第５の表示例を示す図である。
【図８】図８は、実施形態に係る表示コントローラが表示する運転状況を示す表示画面の第６の表示例を示す図である。
【図９】図９は、実施形態に係る表示コントローラによる運転状況の表示処理の例を説明するためのフローチャートである。
【図１０】図１０は、実施形態に係る表示コントローラによる別の発電システムの接続をチェックするチェック処理の例を説明するためのフローチャートである。
【図１１】図１１は、実施形態に係る表示コントローラによる表示切替処理の例を説明するためのフローチャートである。
【発明を実施するための形態】
【０００８】
以下で説明する実施形態に係る表示コントローラ（１２）は、第１の発電装置（１４）を含む蓄電システム（１）の運転状況を表示装置（２４）に表示するものであって、判断部（Ｓ１８）と表示切替部（Ｓ２１）とを有する。判断部（Ｓ１８）は、前記第１の発電装置（１４）が発電した電力と前記蓄電システム（１）が接続される系統（１６）における主幹電力とに基づいて、前記蓄電システム（１）とは別の第２の発電装置（１８）が前記系統（１６）に接続されているか否かを判断する。表示切替部（Ｓ２１）は、前記判断部（Ｓ１８）により前記第２の発電装置（１８）が接続されていると判断された場合、前記表示装置（２４）に表示する表示画面における表示内容を切り替える。
【０００９】
また、以下に説明する実施形態に係る表示コントローラ（１２）の前記判断部（Ｓ１８）は、前記第１の発電装置（１４）の発電が前記主幹電力から特定される系統（１６）への売電電力よりも小さい場合、前記第２の発電装置（１８）が接続されていると判断する。
【００１０】
また、以下に説明する実施形態に係る表示コントローラ（１２）の前記判断部（Ｓ１８）は、前記第１の発電装置（１４）の発電電力が零のときに前記系統（１６）への売電があることが特定された場合、前記第２の発電装置（１８）が接続されていると判断する。
【００１１】
また、以下に説明する実施形態に係る表示コントローラ（１２）の前記判断部（Ｓ１８）は、前記主幹電力と前記システム（１）の出力電力とから算出される消費電力がマイナスの値となった場合、前記第２の発電装置（１８）が接続されていると判断する。
【００１２】
また、以下に説明する実施形態に係る表示コントローラ（１２）の前記表示切替部（Ｓ２１）は、前記判断部（Ｓ１８）により前記第２の発電装置（１８）が接続されていると判断された場合、前記表示装置（２４）に表示する表示画面における消費電力の表示を前記主幹電力から特定される売電電力、又は買電電力の少なくとも何れか一方の表示に切替える。
【００１３】
また、以下に説明する実施形態に係る表示コントローラ（１２）の前記表示切替部（Ｓ２１）は、前記判断部（Ｓ１８）により前記第２の発電装置（１８）が接続されていると判断された場合、前記表示装置（２４）に表示する表示画面における消費電力を非表示に切替える。
【００１４】
また、以下に説明する実施形態に係る表示コントローラ（１２）の前記表示切替部（Ｓ２１）は、前記判断部（Ｓ１８）により前記第２の発電装置（１８）が接続されていると判断された場合、前記表示装置（２４）に表示する表示画面における消費電力の表示スケールをマイナス分まで拡張し、算出されるマイナス値の消費電力を表示する表示内容に切り替える。
【００１５】
また、以下に説明する実施形態に係る表示コントローラ（１２）の前記表示切替部（Ｓ２１）は、前記判断部（Ｓ１８）により前記第２の発電装置（１８）が接続されていると判断された場合、前記表示装置（２４）に表示する表示画面における自給率の表示態様を切り替える。
【００１６】
また、以下に説明する実施形態に係る表示コントローラ（１２）の前記表示切替部（Ｓ２１）は、消費電力のうち第１の発電装置（２４）によって供給される割合を自給率として表示するときに自給率が１００％を超えていれば、前記表示装置（２４）に表示する表示画面における自給率の表示を点滅表示に切り替える。
【００１７】
また、以下に説明する実施形態に係る蓄電システム（１）は、パワーコンディショナ（１１）、表示コントローラ（１２）、第１の発電装置（１４）および蓄電池（１３）を有するシステムであって、判断部（Ｓ１８）と表示切替部（Ｓ２１）とを有する。判断部（Ｓ１８）は、前記第１の発電装置（１４）が発電した電力と当該蓄電システム（１）が接続される系統（１６）における主幹電力とに基づいて、当該蓄電システム（１）とは別の第２の発電装置（１８）が前記系統（１６）に接続されているか否かを判断する。前記表示切替部（Ｓ２１）は、前記判断部（Ｓ１８）により前記第２の発電装置（１８）が接続されていると判断された場合、前記表示コントローラ（１２）が表示装置（２４）に表示する表示画面における表示内容を切り替える。
【００１８】
以下、実施形態について図面を参照して詳細に説明する。  
図１は、実施形態に係る蓄電システムを含むシステムの構成例を示す図である。  
図１に示す構成例において、蓄電システム１は、パワーコンディショナ（ＰＣＳ）１１、表示コントローラ１２、蓄電池１３および太陽電池モジュール（第１の発電装置）１４を有するシステムである。蓄電システム１において、ＰＣＳ１１には、表示コントローラ１２、蓄電池１３および太陽電池モジュール１４が接続される。また、ＰＣＳ１１は、分電盤１５を介して系統（商用電源、系統電源）１６および負荷１７に接続される。さらに、系統１６と分電盤１５との間には、蓄電システム１とは別の発電システム（ＰＶ、又はＰＣＳ）１８が接続されている。
【００１９】
ＰＣＳ１１は、蓄電システム１における電力を制御する制御ユニットである。例えば、ＰＣＳ１１は、各種の動作モード或は動作指示に応じて、蓄電池１３に対する充放電を制御する。また、ＰＣＳ１１は、直流電力を交流電力に変換する変換回路を有し、太陽電池モジュール１４から供給される直流電力および蓄電池１３が放電する直流電力を交流電力に変換し、変換した交流電力を分電盤１５を介して負荷１７又は系統１６へ供給する。また、ＰＣＳ１１は、太陽電池モジュール１４からの電力又は分電盤１５を介して供給される電力を蓄電池１３へ供給して蓄電を制御する。
【００２０】
表示コントローラ１２は、当該システムにおける運転状況を表示装置に表示させるものである。表示コントローラ１２は、ＰＣＳ１１又は各計測器Ｍ１、Ｍ２、Ｍ３から各部における電力値などの情報を取得し、取得した情報に基づいて表示装置に表示させる表示内容を制御する。表示コントローラ１２は、表示装置に表示させる情報を制御できるものであれば良い。例えば、表示コントローラ１２は、表示パネル等の表示装置やタッチパネル等の操作装置を有する情報端末であっても良いし、通信接続が可能な表示装置又は情報端末の表示部に情報を表示させるものであっても良い。
【００２１】
蓄電池１３は、電力を蓄積（蓄電）する蓄電装置である。図１に示す構成例において、蓄電池１３は、ＰＣＳ１１により充電及び放電が制御される。例えば、蓄電池１３は、放電の指示に応じて蓄電した電力をＰＣＳ１１へ供給する。また、蓄電池１３は、ＰＣＳ１１を介して供給される電力により充電される。
【００２２】
太陽電池モジュール１４は、蓄電システム１内（自機）の発電装置（第１の発電装置）である。太陽電池モジュール１４は、ソーラーパネル等によって集光された太陽光を電力に変換する太陽光発電装置である。太陽電池モジュール１４は、太陽光から発電した電力をＰＣＳ１１へ供給する。なお、蓄電システム１内の発電装置（第１の発電装置）は、太陽電池モジュール（太陽光発電装置）に限定されるものではなく、他の発電方式の発電装置であっても良い。
【００２３】
計測器Ｍ１、Ｍ２、Ｍ３は、それぞれ電力を計測するユニットである。  
計測器Ｍ１は、太陽電池モジュール１４からＰＣＳ１１へ供給される電力を計測する。計測器Ｍ１が計測する計測値は、太陽電池モジュール１４が発電する電力を示す。ＰＣＳ１１は、計測器Ｍ１の計測値を取得する機能を有する。表示コントローラ１２は、ＰＣＳ１１を介して計測器Ｍ１の計測値を取得する。ＰＣＳ１１又は表示コントローラ１２は、計測器Ｍ１が計測する計測値に基づいて太陽電池モジュール１４が発電する電力および発電量を判定する。なお、表示コントローラ１２は、計測器Ｍ１が計測する値を直接取得するようにしても良い。
【００２４】
計測器Ｍ２は、ＰＣＳ１１が分電盤１５へ出力する電力を計測する。ＰＣＳ１１は、計測器Ｍ２の計測値を取得する機能を有する。表示コントローラ１２は、ＰＣＳ１１を介して計測器Ｍ２の計測値を取得する。ＰＣＳ１１又は表示コントローラ１２は、計測器Ｍ２の計測値に基づいてＰＣＳ１１（蓄電システム１）から出力される電力および電力量を特定する。なお、表示コントローラ１２は、計測器Ｍ２が計測する値を直接取得するようにしても良い。
【００２５】
計測器Ｍ３は、系統１６から供給（買電）される電力又は系統１６へ出力（売電）される電力としての系統電力（主幹電力）を計測する。計測器Ｍ３は、系統１６から供給される電力をプラスの値で示し、系統１６へ出力される電力をマイナスの値で示す。すなわち、計測器Ｍ３が計測するプラスの値の電力は、系統１６からの買電電力を示し、計測器Ｍ３が計測するマイナスの値の電力は、系統１６への売電電力を示す。ＰＣＳ１１は、計測器Ｍ３が計測する計測値としての主幹電力（買電電力又は売電電力）を取得する機能を有する。表示コントローラ１２は、ＰＣＳ１１を介して計測器Ｍ３の計測値としての主幹電力を取得する。ＰＣＳ１１又は表示コントローラ１２は、計測器Ｍ３の計測値に基づいて買電電力、売電電力、買電量又は売電量を特定する。なお、表示コントローラ１２は、計測器Ｍ３が計測する値を直接取得するようにしても良い。
【００２６】
さらに、図１に示す構成例においては、蓄電システム１とは別の発電システム（第２の発電装置）１８が系統１６に接続されている。蓄電システム１とは別の発電システム（第２の発電装置）１８は、特定の発電方式に限定されるものではなく、どのような発電方式の発電システムであっても良い。発電システム１８は、発電した電力を系統１６又は負荷１７へ供給する。例えば、発電システム１８は、発電する電力が負荷１７で消費する電力を超えた場合、超過分の電力を売電として系統１６へ供給する。従って、発電システム１８が発電している場合、計測器Ｍ３が計測する値（つまり、系統１６に対する売電又は買電としての主幹電力）は、発電システム１８の発電電力の影響を受ける。
【００２７】
ここでは、蓄電システム１（ＰＣＳ１１又は表示コントローラ１２）は、発電システム１８が発電する電力の値を示す情報を取得できない構成であるものとする。このような構成においては、蓄電システム１の表示コントローラ１２が表示する計測器Ｍ３の計測値に基づく情報（例えば、消費電力、自給率など）についても、発電システム１８の発電の影響を受ける可能性がある。このことを前提として、本実施形態に係る蓄電システム１は、表示コントローラが表示する表示内容を制御するものである。
【００２８】
次に、実施形態に係る表示コントローラ１２の構成について説明する。  
図２は、実施形態に係る表示コントローラ１２の構成例を示す図である。  
表示コントローラ１２は、制御部２１、インターフェース（Ｉ／Ｆ）２２、記憶部２３、表示部（表示装置）２４および操作部２５を有する。  
制御部２１は、ＣＰＵ（Central Processing Unit）などのプロセッサ、ＲＡＭなどのワーキングメモリ、ＲＯＭなどのプログラムメモリ、及び各種内部インターフェースなどにより構成する。制御部２１は、プロセッサがプログラムを実行することにより各種の処理機能を実現する。例えば、制御部２１内において、プロセッサは、ワーキングメモリを用いてプログラムメモリ又は記憶部２３が記憶するプログラムを実行することにより各種の処理を実現する。
【００２９】
インターフェース２２は、各部における電力などの情報を取得する取得部として機能する。図２に示す構成例において、インターフェース２２は、ＰＣＳ１１との間で情報を送受信するためのインターフェースである。インターフェース２２は、例えば、ＰＣＳ１１から計測器Ｍ１、Ｍ２、Ｍ３の計測値などの情報を取得する。また、インターフェース２２は、計測器Ｍ１、Ｍ２、Ｍ３から計測値などの情報を取得するものであっても良い。
【００３０】
記憶部２３は、例えば、ＲＡＭ（Random  Access  Memory)、フラッシュメモリ（Flash  Memory）等の半導体メモリ素子、ハードディスク、または光ディスク等の記憶装置によって実現される。記憶部２３は、当該システムにおける電力に関する情報を記憶する。例えば、記憶部２３は、各種の単位（秒単位、分単位、時間単位、日単位、月単位、年単位など）ごとに、電力情報を記憶する。記憶部２３が記憶する電力情報は、太陽光発電システム１４が発電する現在の電力を示す発電電力、家庭内で消費する電力を示す消費電力、系統１６から購入する電力を示す買電電力、系統に売り渡す電力を示す売電電力などである。
【００３１】
表示部２４は、制御部２１によって表示内容が制御される表示装置である。表示部２４は、例えば、表示部２４は、ＬＣＤ（Liquid  Crystal  Display）、又は有機ＥＬディスプレイなどの表示装置により構成される。表示部２４は、制御部２１が無線通信などにより通信可能な表示装置であっても良い。
【００３２】
操作部２５は、ユーザの操作を受け付ける。操作部２５は、タッチパネル或はハードキーなどにより構成される。例えば、操作部２５は、表示部２４が表示画面上に設けたタッチパネルにより構成され、表示部２４が表示する各種の操作キーに対するユーザの指示を受け付けるものであっても良い。
【００３３】
なお、表示コントローラ１２は、無線通信又は有線通信を行うための通信部などを有しても良い。例えば、表示コントローラ１２は、通信部によりＨＥＭＳ（Home Energy Management System）に対応したホームゲートウエイ装置などとの間で通信を行うことによって、電力状況に関する情報等の情報を送受信するようにしても良い。
【００３４】
次に、表示コントローラ１２の制御部２１が実現する機能について説明する。  
制御部２１は、プロセッサがプログラムを実行することにより各種の処理機能を実現する。例えば、制御部２１は、各計測器Ｍ１、Ｍ２、Ｍ３の計測値等に基づいて各種の電力又は電力量を特定する機能（電力特定部）、各種の電力又は電力量により運転状態（例えば、別の発電システム１８による発電の有無）を判断する機能（判断部）、表示部２４に表示する表示内容を切り替える機能（表示切替部）などを含む表示画面を制御する機能（表示制御部）を有する。
【００３５】
ただし、本実施形態において説明する制御部２１が実現する各機能は、表示コントローラ１２が実現する機能として限定されるものではなく、蓄電システム１の何れかの機器が実現するものであれば良い。例えば、制御部２１が実現する機能の一部又は全部は、ＰＣＳ１１又はＰＣＳ１１に接続した情報処理装置が実現しても良い。
【００３６】
制御部２１は、各計測器Ｍ１、Ｍ２、Ｍ３の計測値に基づいて各種の電力又は電力量を特定する機能として、太陽電池モジュール（第１の発電装置）１４の発電電力、系統１６からの買電電力、系統１６への売電電力、消費電力および自給率などを特定する。すなわち、制御部２１は、太陽電池モジュール１４の発電電力を計測器Ｍ１の計測値に基づいて特定する。また、制御部２１は、系統１６からの買電電力又は系統１６への売電電力を計測器Ｍ３の計測値に基づいて特定する。さらに、制御部２１は、各計測器Ｍ１、Ｍ２及びＭ３の計測値に基づいて、消費電力および自給率などの情報を算出する。
【００３７】
ここで、消費電力および自給率の算出方法について説明する。  
消費電力は、以下の式（１）により定義するものとする。  
消費電力＝ＰＣＳ１１（蓄電システム１）からの出力電力＋主幹電力…（１）
図１に示す構成において、ＰＣＳ１１（蓄電システム１）からの出力電力は、計測器Ｍ２の計測値である。また、図１に示す構成において、主幹電力（買電電力又は売電電力）は、計測器Ｍ３の計測値である。計測器Ｍ３の計測値は、プラスである場合には買電電力の大きさを示し、マイナスである場合には売電電力の大きさを示す。従って、制御部２１は、計測器Ｍ２の計測値と計測器Ｍ３の計測値とを加算した値を消費電力として算出する。
【００３８】
ただし、図１に示す構成例では、計測器Ｍ３の計測値は、蓄電システムとは別の発電システム１８が発電する電力に影響される値となる。また、発電システム１８が発電する電力は、蓄電システム１では計測できない。このため、発電システム１８が発電している場合には、計測器Ｍ２の計測値と計測器Ｍ３の計測値とを加算した値（上記式（２）で算出する消費電力）は、必ずしも蓄電システム１と負荷１７との関係だけを示す値ではなく、発電システム１８の発電電力に影響を受けた値となる。
【００３９】
また、自給率は、以下の式（２）により定義するものとする。  
自給率＝発電電力／消費電力…（２）
図１に示す構成において、上記式（２）の発電電力は、太陽電池モジュール１４の発電電力であり、上記式（２）の消費電力は、上記式（１）で算出される値とする。制御部２１は、蓄電システム１の発電電力に対する自給率として、太陽電池モジュール１４の発電電力（計測器Ｍ１の計測値）／消費電力を算出する。
【００４０】
上述したように、式（１）で算出される消費電力は、計測器Ｍ２の計測値と計測器Ｍ３の計測値とを加算した値であるため、発電システム１８による発電電力に影響を受ける値となる。例えば、発電システム１８が発電する電力が大きくなればなるほど消費電力が小さくなる。この結果、発電システム１８が発電する電力が大きくなればなるほど、上記式（２）によって算出される自給率は大きくなる。  
なお、発電量、買電量、売電量、および消費出力量などの各電力量は、電力を積算することにより算出される。例えば、単位時間当たりの電力量は、電力値を単位時間分積算することにより算出される。
【００４１】
次に、表示コントローラ１２が表示部２４に表示する運転状況を示す表示画面の例について説明する。  
図３乃至図８は、表示コントローラ１２が表示部２４に表示する運転状況を示す表示画面の例を示す図である。図３乃至図８は、運転状況を示す表示画面として、各種の電力情報における日ごとの推移を示す推移グラフを表示する表示例である。
【００４２】
図３は、表示コントローラ１２が表示する運転状況を示す表示画面の第１の表示例である。図３に示す第１の表示例は、運転状況を示す情報として、日単位での発電量、消費電力量及び自給率の推移を示す推移グラフを表示した例である。  
図３に示す第１の表示例において、表示コントローラ１２は、１日単位で１週間分の発電量、消費電力量および自給率を示す３つのグラフを推移グラフとして表示部２４に表示する。
【００４３】
例えば、発電量のグラフは、太陽電池モジュール１４による発電の状況を示す情報であって、１日の発電量を示す棒グラフを過去１週間分並べて表示するグラフである。また、消費電力量のグラフは、上述した計算により算出される消費電力の状況を示す情報であって、１日の消費電力量を示す棒グラフを過去１週間分並べて表示するグラフである。また、自給率のグラフは、上述した計算により算出される自給率の状況を示す情報であって、１日単位での自給率を示す棒グラフを過去１週間分並べて表示するグラフである。
【００４４】
図１に示す構成において発電システム１８が発電をしていなければ、上述した計算によってシステム全体における消費電力量および自給率が正確に計算できる。消費電力量及び自給率が正確に算出されている場合（発電システム１８が発電していない場合）、図３に示す推移グラフは、正確な電力情報を示す表示となる。しかしながら、発電システム１８が発電をしている場合、上述した計算では発電システム１８による発電量分が不確定の値となるため、消費電力量および自給率が明確な値として計算できない。
【００４５】
このため、本実施形態に係る表示コントローラ１２は、発電システム１８による発電があると判断した場合（第２の発電装置が接続されていると判断した場合）、運転状況を示す表示画面において表示する表示内容を切り替える。例えば、表示コントローラ１２は、発電システム１８による発電があると判断した場合、表示部２４に表示する推移グラフを、第１の表示例に示す推移グラフから後述する第２乃至第７の表示例に示す推移グラフに切り替える。
【００４６】
次に、第２の表示例について説明する。  
図４は、表示コントローラ１２が表示する運転状況を示す表示画面の第２の表示例である。図４に示す第２の表示例は、運転状況を示す情報として、図３に示す第１の表示例における消費電力量のグラフを売電量のグラフに置き換えた推移グラフを表示するものである。  
表示コントローラ１２は、運転状況を示す表示画面として、発電システム１８による発電がないと判断した場合には、図３に示すような消費電力量のグラフを含む推移グラフを表示し、発電システム１８による発電があると判断した場合には、図３に示す消費電力量のグラフを売電量のグラフに切り替えた図４に示すような推移グラフを表示するようにして良い。
【００４７】
図１に示すようなシステム構成では、発電システム１８が発電をしている場合、消費電力量が明確な値として計算できないが、計測器Ｍ３が計測する計測値（主幹電力）から系統１６への売電（量）は正確に特定できる。従って、表示コントローラ１２は、発電システム１８が発電をしていると判断した場合（第２の発電装置が接続されていると判断した場合）、運転状況を示す表示画面において、消費電力（量）の表示を売電（量）の表示に切り替えることにより正確な情報を利用者に提供できる。
【００４８】
次に、第３の表示例について説明する。  
図５は、表示コントローラ１２が表示する運転状況を示す表示画面の第３の表示例である。図５に示す第３の表示例は、運転状況を示す情報として、図３に示す消費電力量のグラフを買電量のグラフに置き換えた推移グラフを表示するものである。  
表示コントローラ１２は、発電システム１８による発電がないと判断した場合には、図３に示すような消費電力量のグラフを含む推移グラフを表示し、発電システム１８による発電があると判断した場合には、図３に示す消費電力量のグラフを買電量のグラフに切り替えた図５に示すような推移グラフを表示するようにして良い。
【００４９】
図１に示すようなシステム構成では、発電システム１８が発電をしている場合、消費電力量が明確な値として計算できないが、計測器Ｍ３が計測する計測値（主幹電力）により系統１６からの買電（量）は正確に特定できる。従って、表示コントローラ１２は、発電システム１８が発電をしていると判断した場合（第２の発電装置が接続されていると判断した場合）、運転状況を示す表示画面において、消費電力（量）の表示を買電（量）の表示に切り替えることにより正確な情報を利用者に提供できる。
【００５０】
次に、第４の表示例について説明する。  
図６は、表示コントローラ１２が表示する運転状況を示す表示画面の第４の表示例である。図６に示す第４の表示例は、運転状況を示す情報として、図３に示す消費電力量のグラフと自給率のグラフを、売電量のグラフと買電量のグラフに置き換えた推移グラフを表示するものである。
【００５１】
表示コントローラ１２は、発電システム１８による発電がないと判断した場合には、図３に示すような消費電力量のグラフと自給率のグラフを含む推移グラフを表示し、発電システム１８による発電があると判断した場合には、図３に示す消費電力量のグラフと自給率のグラフを、売電量のグラフと買電量のグラフに置き換えた図６に示すような推移グラフを表示するようにして良い。
【００５２】
図１に示すようなシステム構成では、発電システム１８が発電をしている場合、消費電力（量）及び自給率が明確な値として計算できないが、計測器Ｍ３が計測する計測値（主幹電力）から系統１６に対する売電（量）及び買電（量）は正確に特定できる。従って、表示コントローラ１２は、発電システム１８が発電をしていると判断した場合（第２の発電装置が接続されていると判断した場合）、運転状況を示す表示画面において、消費電力（量）及び自給率の表示を売電（量）及び買電（量）の表示に切り替えることにより正確な情報を利用者に提供できる。
【００５３】
次に、第５の表示例について説明する。  
図７は、表示コントローラ１２が表示する運転状況を示す表示画面の第５の表示例である。図７に示す第５の表示例では、運転状況を示す情報として、図３に示す消費電力量のグラフを非表示の状態とするものである。  
表示コントローラ１２は、発電システム１８による発電がないと判断した場合には、図３に示すような消費電力のグラフを含む推移グラフを表示し、発電システム１８による発電があると判断した場合には、図３に示す消費電力量のグラフを非表示とした図７に示すような推移グラフを表示するようにして良い。
【００５４】
上述したように、図１に示すようなシステム構成では、蓄電システムとは別に設けられた発電システムが発電をしている場合、消費電力（量）が明確な値として計算できない。このため、表示コントローラ１２は、発電システム１８が発電をしていると判断した場合（第２の発電装置が接続されていると判断した場合）、運転状況を示す表示画面において、消費電力（量）の表示を非表示に切り替えることにより正確な情報を利用者に提供できる。
【００５５】
次に、第６の表示例について説明する。  
図８は、表示コントローラ１２が表示する運転状況を示す表示画面の第６の表示例である。図８に示す第６の表示例は、図３に示す消費電力量のグラフにおける表示スケールをマイナス分まで拡張し、マイナス値で算出される消費電力（量）も含めて算出された消費電力量をグラフに表示するものである。
【００５６】
表示コントローラ１２は、発電システム１８による発電がないと判断した場合には、図３に示すような通常の表示スケール（プラスの値に対するスケール）とした消費電力量のグラフを含む推移グラフを表示し、発電システム１８による発電があると判断した場合には、図８に示すようなマイナス分を拡張した表示スケールとした消費電力量のグラフを推移グラフとして表示するようにして良い。
【００５７】
図１に示すシステム構成では、発電システム１８が発電している場合、上述した算出方法で算出される消費電力は、発電システム１８の発電が無い場合に比べて、発電システム１８の発電分が減算された値として算出される。このような消費電力として算出される値は、負荷１７が消費する電力を示す値としては正確な値ではないが、上述の算出方法を理解している利用者は、消費電力として算出された値を運転状況を示す情報の１つとして認識できることもある。
【００５８】
例えば、計測器Ｍ３が計測する計測値が計測器Ｍ２が計測する計測値を上回れば、すなわち売電量がＰＣＳ１１の出力を上回れば、上述の計算手順で算出される消費電力は、マイナスの値となる。つまり、マイナスの値として表示される消費電力の大きさは、負荷１７で消費される電力に対して、蓄電システム１の出力と発電システム１８の発電電力との合計値の差であることを意味する。このことを理解している利用者であれば、算出した消費電力をそのまま表示しても運転状況を示す情報の１つとして認識できることがある。
【００５９】
次に、第７の表示例について説明する。  
第７の表示例は、自給率を表示する表示画面に適用できるものである。第２の表示例は、発電システム１８による発電があると判断した場合に、自給率の表示を通常とは異なる状態とするようにするものである。  
表示コントローラ１２は、発電システム１８による発電があると判断した場合に、自給率の表示部位を通常の表示画面とは異なる表示態様とするようにして良い。発電システム１８による発電があると判断した場合における自給率の表示態様としては、例えば、色、フォント、サイズ、背景などを通常の表示画面とは異なるものとすることが考えられる。第７の表示例は、例えば、図３、図４、図５、図７又は図８に示す表示画面のように、自給率の表示部分がある表示画面に適用できる。
【００６０】
さらに、第７の表示例としては、算出した自給率が１００％を超えた場合に、運転状況を示す表示画面としての推移フラグにおいて、自給率の表示を点滅表示とするようにしても良い。  
表示コントローラ１２は、発電システム１８による発電があると判断した場合に自給率が１００％を超えていれば、自給率を１００％と表示する部位を点滅させるようにして良い。第７の表示例は、例えば、図３、図４、図５、図７又は図８に示す表示画面のように、自給率の表示部分がある表示画面に適用できる。
【００６１】
図１に示すようなシステム構成では、発電システム１８が発電をしている場合、自給率が明確な値として計算できない。このため、第７の表示例として説明したように自給率を点滅表示させることにより、自給率の算出値が１００％を超えていること、および自給率として算出した値が正確な値でない可能性があることを利用者が直観的に認識できるように報知することができる。
【００６２】
次に、実施形態に係る蓄電システム１における運転状況の表示処理について説明する。  
以下、蓄電システム１における運転状況を表示する処理の例として、表示コントローラ１２による表示処理の動作例について説明する。ただし、後述する処理の一部又は全部は、蓄電システム１を構成するどの装置が実施するようにしても良い。例えば、ＰＣＳ１１又はＰＣＳ１１に接続した情報処理装置が後述する処理の一部又は全部を実行するようにしても良いし、蓄電池１３に設けた制御ユニットが実施するようにしても良い。
【００６３】
図９は、実施形態に係る表示コントローラ１２による表示処理の動作例を示すフローチャートである。  
まず、表示コントローラ１２の制御部２１は、各計測器Ｍ１、Ｍ２、Ｍ３が計測する各部の電力としての計測値を取得する（Ｓ１１）。表示コントローラ１２の制御部２１は、Ｉ／Ｆ２２により接続するＰＣＳ１１を介して各計測器Ｍ１、Ｍ２、Ｍ３の計測値を取得する。なお、制御部２１は、通信部により各計測器Ｍ１、Ｍ２、Ｍ３と通信することにより、各計測器Ｍ１、Ｍ２、Ｍ３から直接的に計測値を取得するようにしても良い。
【００６４】
各計測器Ｍ１、Ｍ２、Ｍ３の計測値を取得すると、制御部２１は、取得した各計測値を記憶部２３に蓄積（記憶）する（Ｓ１２）。制御部２１は、計測日時に対応づけて各計測値を記憶することにより、特定の単位（例えば、１時間単位、１日単位、１週間単位など）で電力の計測値を集計できる。また、制御部２１は、所定の単位ごとに各計測値を積算した値を記憶部２３に記憶するようにしても良い。
【００６５】
なお、各計測器Ｍ１、Ｍ２、Ｍ３の計測値は、単に記憶部２３に蓄積するだけでなく、所定の単位（例えば、１時間、１日、１週間）ごとに集計処理を行うようにしても良い。集計処理としては、前記所定単位ごとに、後述するような各種の電力情報（例えば、発電量、消費電力量、自給率、売電量、買電量など）を算出し、算出した電力情報を蓄積するようにしても良い。  
また、各計測器Ｍ１、Ｍ２、Ｍ３の計測値は、ＰＣＳ１１が蓄積するようにしても良い。また、ＰＣＳ１１は、所定単位ごとに集計処理を行うことにより各種の電力情報を蓄積するようにしても良い。この場合、表示コントローラ１２は、必要に応じてＰＣＳ１１から情報（各計測値又は集計した電力情報など）を取得するようにすれば良い。
【００６６】
各計測値を取得して記憶部２３に蓄積するとともに、制御部２１は、上述した推移グラフなどの運転状況を示す表示画面の表示指示を受け付ける（Ｓ１３）。制御部２１は、運転状況を示す表示画面を、操作部２５による利用者からの指示に応じて表示部２４に表示するようにしても良いし、所定の条件（例えば、所定時刻）で表示部２４に表示するようにしても良い。運転状況を示す表示画面の表示指示が無ければ（Ｓ１３、ＮＯ）、制御部２１は、上記ステップＳ１１へ戻り、各計測値の取得と蓄積とを繰り返し実行する。
【００６７】
運転状況を示す表示画面の表示指示を受け付けた場合（Ｓ１３、ＹＥＳ）、制御部２１は、運転状況を示す表示画面に表示する各種の電力情報を特定する処理（集計処理）を行う（Ｓ１４〜Ｓ１７）。例えば、図３乃至図８に示すような推移グラフを表示する場合、制御部２１は、集計処理として、１日単位で各種の電力情報（太陽電池モジュールの発電量、消費電力量、自給率、系統への売電量、系統からの買電量など）を特定する。ここでは、集計処理として、太陽電池モジュール（第１の発電装置）の発電量、消費電力量、自給率、系統への売電量、および、系統からの買電量を特定するものとする。
【００６８】
この場合、制御部２１は、記憶部２３が記憶する１日分の計測器Ｍ１の計測値から太陽電池モジュールの発電量を特定し、１日単位での発電量を記憶部２３に保存する（Ｓ１４）。また、制御部２１は、記憶部２３が記憶する１日分の計測器Ｍ２の計測値と計測器Ｍ３の計測値とから上述した算出方法により消費電力量を特定し、特定した消費電力量を記憶部２３に保存する（Ｓ１５）。また、制御部２１は、特定した発電量と消費電力量とから上述した算出方法により自給率を算出し、算出した自給率を記憶部２３に保存する（Ｓ１６）。さらに、制御部２１は、記憶部２３が記憶する１日分の計測器Ｍ３の計測値から系統１６への売電量および系統１６からの買電量を特定し、特定した売電量および買電量を記憶部２３に保存する（Ｓ１７）。
【００６９】
さらに、制御部２１は、蓄電システム１とは別の発電システム１８による発電の有無（第２の発電装置の接続の有無）をチェックする処理（チェック処理）を行う（Ｓ１８）。チェック処理は、制御部２１が判断部として機能することにより実現される処理である。例えば、制御部２１は、チェック処理として、売電、発電及び消費電力の計算値などに基づいて、発電システム１８による発電の有無をチェックする。チェック処理については、後で詳細に説明する。
【００７０】
チェック処理により発電システム１８による発電が無いと判断した場合（Ｓ１９、ＮＯ）、制御部２１は、通常の表示内容による運転状況を示す表示画面を表示するための表示データを生成する（Ｓ２０）。例えば、図３に示す推移グラフを通常の表示内容とする場合、制御部２１は、１日単位での発電量、消費電力量および自給率のグラフをそれぞれ作成し、作成した各グラフを並べた表示画面を表示部２４に表示するための表示データを生成する。
【００７１】
また、チェック処理により発電システム１８による発電があると判断した場合（Ｓ１９、ＹＥＳ）、制御部２１は、運転状況の表示画面において表示する内容を通常の表示内容から切替える表示切替処理を行う（Ｓ２１）。表示切替処理は、制御部２１が表示切替部として機能することにより実現される処理である。制御部２１は、表示切替処理として、通常の表示内容のうち特定の表示部分を別の表示に切り替え、表示内容を切り替えた表示画面を表示するための表示データを生成する。例えば、制御部２１は、第２乃至第７の表示例として説明した表示画面を表示部２４に表示するための表示データを生成する。表示切替処理については、後で詳細に説明する。
【００７２】
運転状況を示す表示画面を表示するための表示データを生成すると、制御部２１、生成した表示データにより表示部２４に運転状況を示す表示画面を表示する（Ｓ２２）。例えば、通常の表示内容の表示画面を表示するための表示データを生成した場合、制御部２１、表示部２４に通常の表示内容の表示画面を表示する。また、表示切替処理により表示内容を切り替えた表示画面を表示するための表示データを生成した場合、制御部２１、表示部２４に表示切替処理で設定された表示画面を表示する。
【００７３】
以上のような表示処理では、蓄電システム（表示コントローラ）は、太陽電池モジュール（第１の発電装置）が発電した電力と当該蓄電システムが接続される系統における主幹電力とに基づいて、当該蓄電システムが発電電力を取得できない蓄電システムとは別の発電システム（第２の発電装置）が系統に接続されているか否かを判断し、別の発電システムが接続されていると判断された場合には表示する表示画面における表示内容が正確な情報となるような表示内容に切り替える。  
上記の表示処理によれば、蓄電システム（表示コントローラ）は、発電電力が不明な別の発電システムの有無に応じて表示装置に表示する表示内容を切り替えることができ、別の発電システムが接続されている場合であっても正確な情報を利用者に提供することができる。
【００７４】
次に、蓄電システム１とは別の発電システム１８の接続をチェックするチェック処理について説明する。  
図１０は、蓄電システム１とは別の発電システムの接続をチェックするチェック処理の動作例を説明するためのフローチャートである。  
制御部２１は、チェック処理において、まず、系統１６への売電があるか否かを判断する（Ｓ３１）。制御部２１は、系統１６への売電が有るか否かを計測器Ｍ３の計測値に基づいて判断する。例えば、計測器Ｍ３の計測値がマイナスの値であれば、系統１６への売電があると判断する。
【００７５】
系統１６への売電がないと判断した場合（Ｓ３１、ＮＯ）、制御部２１は、各計測値からは別の発電システム１８が接続されているかを判断できないため、別の発電システム１８が接続されていない（別の発電システム１８による発電がない）とみなす判断を行う（Ｓ３５）。つまり、図１に示す構成では、系統１６への売電が計測器Ｍ３により計測できない場合、発電システム１８による発電の有無を断定的に判断することが難しい。このため、制御部２１は、系統１６への売電がなければ、別の発電システム１８が接続されていないと判断する。
【００７６】
系統１６への売電があると判断した場合（Ｓ３１、ＹＥＳ）、制御部２１は、太陽電池モジュール１４による発電が０のときに売電があったかを判断する（Ｓ３２）。図１に示す構成では、太陽電池モジュール１４による発電が０であれば、系統１６への売電は発電システム１８の発電によるものであると判断できる。このため、制御部２１は、計測器Ｍ１で計測する計測値（太陽電池モジュール１４による発電）が０のときに売電があると判断した場合（Ｓ３２、ＹＥＳ）、発電システム１８が接続されている（発電システム１８による発電がある）と判断する（Ｓ３６）。
【００７７】
太陽電池モジュール１４による発電が０のときの売電がないと判断した場合（Ｓ３２、ＮＯ）、制御部２１は、系統１６への売電が太陽電池モジュール１４による発電よりも大きいことがあるか判断する（Ｓ３３）。系統１６への売電が太陽電池モジュール１４による発電を上回るということは、太陽電池モジュール１４以外の発電があることを意味する。このため、制御部２１は、太陽電池モジュール１４による発電（計測器Ｍ１の計測値）よりも系統１６への売電が大きいことがあると判断した場合（Ｓ３２、ＹＥＳ）、発電システム１８が接続されている（発電システム１８による発電がある）と判断する（Ｓ３６）。
【００７８】
太陽電池モジュール１４による発電よりも系統１６への売電が大きいことがないと判断した場合（Ｓ３２、ＮＯ）、制御部２１は、消費電力がマイナスの値となることがあるかを判断する（Ｓ３４）。制御部２１は、同時刻での計測器Ｍ２の計測値と計測器Ｍ３の計測値とを加算することにより、消費電力がマイナスの値となることがあるかを算出する。ただし、計測器Ｍ３は、系統１６への売電の大きさをマイナスの値として計測するものとする。このような消費電力は、ＰＣＳ１１の出力電力よりも系統１６への売電が大きい場合にマイナス値となる。ＰＣＳ１１の出力電力よりも系統１６への売電が大きいということは、発電システム１８での発電があることを意味する。このため、制御部２１は、消費電力がマイナスの値となることがあると判断した場合（Ｓ３４、ＹＥＳ）、発電システム１８が接続されている（発電システム１８による発電がある）と判断する（Ｓ３６）。
【００７９】
また、消費電力がマイナスの値となることがないと判断した場合（Ｓ３４、ＮＯ）、制御部２１は、各計測値からは別の発電システム１８が接続されているかを確認できないため、別の発電システム１８が接続されていない（別の発電システム１８による発電がない）とみなす判断を行う（Ｓ３５）。
【００８０】
以上のようなチェック処理では、蓄電システム（表示コントローラ）は、太陽電池モジュールの発電電力の計測値と基幹電力の計測値とに基づいて陽電池モジュールの発電電力が零のときに系統への売電があるか否かをチェックし、太陽電池モジュールの発電電力が零のときに系統への売電があると判断した場合、別の発電システムが系統に接続されていると判断する。
【００８１】
また、蓄電システム（表示コントローラ）は、太陽電池モジュールの発電電力の計測値と基幹電力の計測値とに基づいて太陽電池モジュールの発電電力が系統への売電電力よりも小さいか否かをチェックし、太陽電池モジュールの発電電力が系統への売電電力よりも小さいと判断した場合、別の発電システムが系統に接続されていると判断する。
【００８２】
また、蓄電システム（表示コントローラ）は、太陽電池モジュールの発電電力の計測値が主幹電力の計測値と蓄電システムの出力電力の計測値とに基づいて消費電力を算出し、算出した消費電力がマイナスの値であるか否かをチェックし、消費電力がマイナスの値であると判断した場合、別の発電システムが系統に接続されていると判断する。  
これらのチェック処理によれば、蓄電システム（表示コントローラ）は、蓄電システムとは別の発電システムが接続されているか否かを判断できる。
【００８３】
次に、表示切替処理について説明する。  
図１１は、表示切替処理の動作例を説明するためのフローチャートである。  
表示切替処理は、運転状況を示す表示画面として、通常の表示内容において不正確であると判断される情報の表示を別の情報の表示に切替えるものである。表示切替処理は、不正確な情報の表示を別の情報に切替えるものであれば良い。このため、表示切替処理としては、様々な表示内容への切替えることが考えられるが、ここでは、表示切替処理の例として、上述した第１の表示例を第２乃至第７の表示例に切替える処理について説明する。
【００８４】
すなわち、別の発電システム１８が接続されていると判断した場合、制御部２１は、表示切替処理として、運転状況を示す表示画面としての推移グラフの表示画面において、消費電力量の表示に代えて売電量を表示するかを判断する（Ｓ４１）。売電量を表示すると判断した場合（Ｓ４１、ＹＥＳ）、制御部２１は、消費電力量の表示を売電量の表示に切り替える（Ｓ４２）。例えば、制御部２１は、売電量のグラフを生成し、図３に示す消費電力量のグラフの表示領域に、売電量のグラフを表示させることにより、第２の表示例として説明した図４に示す推移グラフを表示させる。
【００８５】
また、消費電力量を売電量に置き換えた表示とはしないと判断した場合（Ｓ４１、ＮＯ）、制御部２１は、消費電力量の表示に代えて買電量を表示するかを判断する（Ｓ４３）。買電量を表示すると判断した場合（Ｓ４３、ＹＥＳ）、制御部２１は、消費電力量の表示を買電量の表示に切り替える（Ｓ４４）。例えば、制御部２１は、買電量のグラフを生成し、図３に示す消費電力量のグラフの表示領域に、買電量のグラフを表示させることにより、第３の表示例として説明した図５に示す推移グラフを表示する。
【００８６】
また、消費電力量を買電量に置き換えた表示とはしないと判断した場合（Ｓ４３、ＮＯ）、制御部２１は、消費電力量及び自給率の表示に代えて売電量及び買電量を表示するかを判断する（Ｓ４５）。売電量及び買電量を表示すると判断した場合（Ｓ４５、ＹＥＳ）、制御部２１は、消費電力量及び自給率の表示を売電量及び買電量の表示に切り替える（Ｓ４６）。例えば、制御部２１は、売電量のグラフと買電量のグラフとを生成し、図３に示す消費電力量のグラフ及び自給率のグラフの表示領域に、売電量のグラフと買電量のグラフとを表示させることにより、第４の表示例として説明した図６に示す推移グラフを表示する。
【００８７】
また、消費電力量及び自給率を売電量及び買電量に置き換えた表示とはしないと判断した場合（Ｓ４５、ＮＯ）、制御部２１は、消費電力量の表示を非表示とするかを判断する（Ｓ４７）。消費電力量を非表示とすると判断した場合（Ｓ４７、ＹＥＳ）、制御部２１は、消費電力量の表示を非表示の状態に切り替える（Ｓ４８）。例えば、制御部２１は、図３に示す消費電力量のグラフを消す（非表示とする）ことにより、第５の表示例として説明した図７に示す推移グラフを表示する。
【００８８】
また、消費電力量を非表示とするものではないと判断した場合（Ｓ４７、ＮＯ）、制御部２１は、消費電力量の計算値をマイナス分まで表示するかを判断する（Ｓ４９）。消費電力量の計算値をマイナス分まで表示すると判断した場合（Ｓ４９、ＹＥＳ）、制御部２１は、消費電力量の表示スケールをマイナス分まで拡張し、消費電力量の計算値を表示する表示内容に切り替える（Ｓ５０）。例えば、制御部２１は、図３に示す消費電力量のグラフに対して表示スケールをマイナス分まで拡張し、マイナスの値を含めて消費電力量の計算値を表示させることにより、第６の表示例として説明した図８に示す推移グラフを表示する。
【００８９】
さらに、制御部２１が、自給率（％）＝（発電量（計測器Ｍ１が計測する計測値）−売電量（計測器Ｍ３が計測する計測値））/消費電力量（計測器Ｍ３が計測する計測値−計測器Ｍ２が計測する計測値）…（３）として自給率の表示を含む表示画面を表示する場合、自給率が１００％を超えているかを判断する（Ｓ５１）。自給率が１００％を超えていると判断した場合（Ｓ５１、ＹＥＳ）、制御部２１は、自給率を１００％の表記として点滅状態で表示させる（Ｓ５２）。すなわち、上記式（３）で定義される自給率は消費電力量のうち何％が太陽電池モジュール１４でまかなえるかを示す値であり、自給率が１００％を超える場合は別の発電システムが接続されることを意味する。  
なお、制御部２１は、別の発電システム１８が接続されていると判断した場合には、自給率の表示を通常の表示画面とは異なる表示態様をするようにしても良い。
【００９０】
以上のような表示切替処理では、蓄電システム（表示コントローラ）は、蓄電システムとは別の発電システム（第２の発電装置）が接続されていることを判断した場合、表示部に表示する通常の表示内容を別の発電システムが接続されていても正確な情報からなる表示内容に切替える。
【００９１】
また、上記表示切替処理では、蓄電システム（表示コントローラ）は、蓄電システムとは別の発電システム（第２の発電装置）が接続されていることを判断した場合、表示部に表示する通常の表示内容のうち不正確となる情報を非表示とする表示内容に切替える。
【００９２】
また、上記表示切替処理では、蓄電システム（表示コントローラ）は、蓄電システムとは別の発電システム（第２の発電装置）が接続されていることを判断した場合、表示部に表示する表示画面において通常の表示内容のスケールでは表示できなくなる可能性がある情報のスケールを変更した表示内容に切替える。
【００９３】
また、上記表示切替処理では、蓄電システム（表示コントローラ）は、蓄電システムとは別の発電システム（第２の発電装置）が接続されていることを判断した場合、表示部に表示する通常の表示内容のうち不正確となる情報を点滅などの注意を喚起するような表示内容に切替える。
【００９４】
上記のような表示切替処理によれば、蓄電システム（表示コントローラ）は、蓄電システムとは別の発電システム（第２の発電装置）が接続されていることを判断した場合には、通常の表示内容を正確な情報を表示する表示内容に切替えることができ、不正確な情報や不明確な情報によって利用者に混乱を生じさせることがないようにできる。
【００９５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９６】
１…蓄電システム、１１…パワーコンディショナ、１２…表示コントローラ、１３…蓄電池（蓄電装置）、１４…太陽電池モジュール（第１の発電装置）、１６…系統（商用電源、系統電源）、１７…負荷、１８…別の発電システム（第２の発電装置）、２１…制御部、２２…インターフェース、２３…記憶部、２４…表示部、２５…操作部、Ｍ１、Ｍ２、Ｍ３…計測器。
【図１】
2017175756.tif 000003
【図２】
2017175756.tif 000004
【図３】
2017175756.tif 000005
【図４】
2017175756.tif 000006
【図５】
2017175756.tif 000007
【図６】
2017175756.tif 000008
【図７】
2017175756.tif 000009
【図８】
2017175756.tif 000010
【図９】
2017175756.tif 000011
【図１０】
2017175756.tif 000012
【図１１】
2017175756.tif 000013